(57)【要約】      （修正有）【課題】エクスプレスカードインターフェイスのデジタルテレビレシーバー及びそれを用いたコンピュータシステムを提供する。【解決手段】信号レシーバーモジュール１２は、デジタルテレビ信号ＤＳを受信し、トランスポートストリーム信号に変換して出力し、エクスプレスカードインターフェイス制御装置１４は、トランスポートストリーム信号をコンピュータシステムに伝送する。ＩＣカードアクセスユニット１３には、デコードデータを保存したＩＣカード３が差し込まれる。限定受信処理ユニット１５は、エンコードされたトランスポートストリーム信号を受信した時、ＩＣカードアクセスユニット１３を通してデコードデータを取得し、当該エンコードされたトランスポートストリーム信号をデコードし、再びエクスプレスカードインターフェイス制御装置１４に伝送する。【選択図】図１
0003150138.tif 000002
【実用新案登録請求の範囲】
【請求項１】
コンピュータシステムに用いられたエクスプレスカードインターフェイスのデジタルテレビレシーバーであって、
デジタルテレビ信号を受信し、トランスポートストリーム信号に変換し出力する信号レシーバーモジュールと、前記トランスポートストリーム信号を前記コンピュータシステムに伝送するエクスプレスカードインターフェイス制御装置と、デコードデータを保存しているＩＣカードを差し込むためのＩＣカードアクセスユニットと、前記信号レシーバーモジュールと前記ＩＣカードアクセスユニットと前記エクスプレスカードインターフェイス制御装置とに接続される限定受信処理ユニットと、を含み、
前記限定受信処理ユニットが、エンコードされたトランスポートストリーム信号を受信したとき、前記ＩＣカードアクセスユニットを通して当該デコードデータを取得し、エンコードされたトランスポートストリーム信号をデコードし、当該デコードされたトランスポートストリーム信号を前記エクスプレスカードインターフェイス制御装置に伝送することを特徴とするエクスプレスカードインターフェイスのデジタルテレビレシーバー。
【請求項２】
前記信号レシーバーモジュールは、さらに、前記デジタルテレビ信号を受信し、前記デジタルテレビ信号をＩＦ信号に変換するチューナーモジュールと、
前記チューナーモジュールに接続され、前記ＩＦ信号をデモジュレートし、当該トランスポートストリーム信号を出力するデモジュレーターと、を含むことを特徴とする請求項１に記載した、エクスプレスカードインターフェイスのデジタルテレビレシーバー。
【請求項３】
前記チューナーモジュールは、アンテナに接続され、前記デジタルテレビ信号をコードレスで受信することを特徴とする請求項２に記載した、エクスプレスカードインターフェイスのデジタルテレビレシーバー。
【請求項４】
前記チューナーモジュールは、有線テレビネットワークに接続され、有線で、前記デジタルテレビ信号を受信することを特徴とする請求項２に記載した、エクスプレスカードインターフェイスのデジタルテレビレシーバー。
【請求項５】
前記限定受信処理ユニットは、エンコードされていないトランスポートストリーム信号を受信し、前記エンコードされていないトランスポートストリーム信号をエクスプレスカードインターフェイス制御装置に伝送することを特徴とする請求項２に記載した、エクスプレスカードインターフェイスのデジタルテレビレシーバー。
【請求項６】
さらに前記エクスプレスカードインターフェイス制御装置に接続され、前記コンピュータシステムに差し込まれる、エクスプレスカードインターフェイスコネクタを含むことを特徴とする請求項２に記載した、エクスプレスカードインターフェイスのデジタルテレビレシーバー。
【請求項７】
前記デジタルテレビレシーバーは、エクスプレスカード／５４またはエクスプレスカード／３４の本体であることを特徴とする請求項２に記載した、エクスプレスカードインターフェイスのデジタルテレビレシーバー。
【請求項８】
コンピュータシステムであって、請求項１に記載した、エクスプレスカードインターフェイスのデジタルテレビレシーバーを備えることを特徴とするコンピュータシステム。
【請求項９】
さらに、前記デジタルテレビレシーバーに接続され、前記デコードされたトランスポートストリーム信号、またはエンコードされていないトランスポートストリーム信号を受信するためのエクスプレスカードインターフェイススロットを備えることを特徴とする、請求項８に記載したコンピュータシステム。
【請求項１０】
前記エクスプレスカードインターフェイススロットは、前記デジタルテレビレシーバーを収容するための収容スペースを備えることを特徴とする、請求項９に記載したコンピュータシステム。
【請求項１１】
前記エクスプレスカードインターフェイススロットは、エクスプレスカード／５４のインターフェイススロットであることを特徴とする、請求項１０に記載したコンピュータシステム。
【請求項１２】
さらに、ディスプレイユニットと、
前記エクスプレスカードインターフェイススロットに接続され、前記デコードされたトランスポートストリーム信号または、前記エンコードされていない伝送データを受信及び処理し、前記ディスプレイユニットに表示させる演算処理ユニットと、を備えることを特徴とする、請求項９に記載したコンピュータシステム。
【考案の詳細な説明】
【技術分野】
【０００１】
本考案は、デジタルテレビレシーバーで、特に、エクスプレスカード（Ｅｘｐｒｅｓｓ  Ｃａｒｄ）インターフェイスを採用したデジタルテレビレシーバー及びそれを用いたコンピュータシステムに関する。
【背景技術】
【０００２】
全世界でデジタルテレビが徐々に放送されるにしたがって、各国で、これが、重要発展項目の一つになっている。現在の一般家庭のテレビは、ほとんどがアナログテレビである。デジタルテレビを購入せずとも、デジタルテレビ信号を受信できるようにする最も簡単な方法は、従来のアナログテレビに、デジタルテレビチューナー（Ｄｉｇｉｔａｌ  Ｓｅｔ−Ｔｏｐ  Ｂｏｘ，  Ｄｉｇｉｔａｌ  ＳＴＢ）を取り付けて、テレビの機能を拡張し、デジタルテレビ信号と、アナログテレビを繋げることである。
【０００３】
一方、コンピュータの普及に伴い、ユーザーは、家庭にあるコンピュータでも、デジタルテレビの視聴を望んでいる。このため、デジタルテレビのレシーバー、つまり、デジタルテレビチューナーは、コンピュータまたは、ノートパソコンに接続するデジタルテレビカードにまで伸びている。例えば、デジタルテレビのＵＳＢドングル等である。
【０００４】
現在のところ、コンピュータに外付けして使用するデジタルテレビレシーバーは、ユーザーが携帯及び使用しやすいように、ほとんどの設計が、無料放送（Ｆｒｅｅ−ｔｏ−Ａｉｒ，ＦＴＡ）のデジタルテレビ信号しか受信できない。現在のデジタルテレビネットワークは、無料のデジタル放送サービス以外に、さらに、限定受信（Ｃｏｎｄｉｔｉｏｎａｌ  Ａｃｃｅｓｓ，ＣＡ）システムを通して、電子取引、ビデオオンデマンド、オンラインゲーム、ペイパービュー（Ｐａｙ  Ｐｅｒ  Ｖｉｅｗ，ＰＰＶ）や、パーソナル化等の斬新なサービスが展開される。よって、ユーザーが購入したデジタルテレビレシーバーが、限定受信モジュール（Ｃｏｎｄｉｔｉｏｎａｌ  Ａｃｃｅｓｓ  Ｍｏｄｕｌｅ，ＣＡＭ）を読み取れない場合、その他の豊富なデジタルテレビサービスを利用したり、さらに多くのデジタルテレビ放送を視聴することができない。
また、今後、デジタルテレビ業者が無料受信信号に、コードをかけた場合、コンピュータで無料受信信号を視聴していたユーザーの視聴できるデジタルテレビ放送が、さらに減少する。
【０００５】
しかし現在、限定受信モジュールは、外観設計上、１６ビットスロットで、６８ピンのＰＣＭＣＩＡインターフェイスで設計しており、コモンインターフェイス（Ｃｏｍｍｏｎ  Ｉｎｔｅｒｆａｃｅ，ＣＩ）の伝送規格を採用しているだけである。
よって、外付けのデジタルテレビレシーバーにおいて、ＰＣＭＣＩＡインターフェイススロットを増加して設計する場合、デジタルテレビレシーバー全体の外観が大きくなり、携帯するのも不便になるという結果を招き、使用上も場所をとる。よって、ユーザーが便利に、コンピュータで無料の、また有料のデジタルテレビ放送を視聴するため、どのように設計を改善するかが、現在の課題である。
【考案の概要】
【考案が解決しようとする課題】
【０００６】
本考案が解決しようとする課題は、コンピュータにおいて、ますます普及してきている、エクスプレスカード（Ｅｘｐｒｅｓｓ  Ｃａｒｄ）インターフェイスを利用して設計したデジタルテレビレシーバーを用いて、さらに別に限定受信モジュール（ＣＡＭ）を接続しなくとも、ユーザーがデジタルテレビレシーバーを使用する時、ＩＣカード（Ｓｍａｒｔ  Ｃａｒｄ）を差し込んで、直接、エンコードされたデジタルテレビ信号を受信及び処理することである。
【課題を解決するための手段】
【０００７】
この課題を解決するため、本考案は、コンピュータシステムに用いられた、エクスプレスカードインターフェイスのデジタルテレビレシーバーを提案する。
前記デジタルテレビレシーバーは、信号レシーバーモジュールと、エクスプレスカードインターフェイス制御装置と、ＩＣカードアクセスユニットと、限定受信処理ユニットと、を含む。
信号レシーバーモジュールは、デジタルテレビ信号を受信するために用いられ、デジタルテレビ信号をトランスポートストリーム信号に変換して出力する。
エクスプレスカードインターフェイス制御装置は、トランスポートストリーム信号を当該コンピュータシステムに伝送する。
ＩＣカードアクセスユニットは、ＩＣカードを差し込むためのものであり、前記ＩＣカードは、デコードデータを保存している。
限定受信処理ユニットは、信号レシーバーモジュールと、ＩＣカードアクセスユニットと、エクスプレスカードインターフェイス制御装置と、に接続され、限定受信処理ユニットが、エンコードされたトランスポートストリーム信号を受信したとき、ＩＣカードアクセスユニットを通して当該デコードデータを取得し、当該エンコードされたトランスポートストリーム信号をデコードし、デコードされたトランスポートストリーム信号をエクスプレスカードインターフェイス制御装置に伝送する。
【０００８】
上記の課題を解決するため、本考案が提案するもう一つのものは、上記提案のデジタルテレビレシーバーを備えたコンピュータシステムであって、さらに、エクスプレスカードインターフェイススロットと、ディスプレイユニットと、演算処理ユニットと、を備える。
エクスプレスカードインターフェイススロットは、前記デジタルテレビレシーバーが接続され、当該デコードされたトランスポートストリーム信号、または、エンコードされていないトランスポートストリーム信号を受信する。
演算処理ユニットは、エクスプレスカードインターフェイススロットに接続され、当該デコードされたトランスポートストリーム信号、または、エンコードされていないトランスポートストリーム信号を受信及び処理し、ディスプレイユニットに表示させる。
【０００９】
よって、本考案の効果は、ユーザーに、コンピュータシステムを通して、簡単に、無料または、有料のデジタルテレビ放送を視聴できるところにある。また、本考案のデジタルテレビレシーバーは、限定受信モジュールのインターフェイススロットを備える必要がないので、体積が少なくなり、ユーザーにとって、限定受信モジュールを使用しなくてよいだけでなく、携帯にも非常に便利である。
【００１０】
本考案の特徴及び、技術内容をさらに理解できるよう、本考案に関連した以下の詳細説明と図面を参考されたい。なお、添付図面は、参考と説明のために提供しただけであり、本考案に制限を加えるものではない。
【図面の簡単な説明】
【００１１】
【図１】本考案のエクスプレスカードインターフェイスのデジタルテレビレシーバーの実施例のブロック図である。
【図２】本考案のエクスプレスカードインターフェイスのデジタルテレビレシーバーの応用実施例の概略図である。
【考案を実施するための形態】
【００１２】
本考案は、コンピュータにおいて、ますます普及してきている、エクスプレスカード（Ｅｘｐｒｅｓｓ  Ｃａｒｄ）インターフェイスを利用して設計したデジタルテレビレシーバーであって、ユーザーが、本考案のデジタルテレビレシーバーを使用する時、さらに限定受信モジュール（ＣＡＭ）を接続しなくとも、ＩＣカード（Ｓｍａｒｔ  Ｃａｒｄ）を差し込んで、直接、エンコードされたテレビ信号（デジタルテレビ有料放送）を受信及び処理する。
【００１３】
図１に、本考案のエクスプレスカードインターフェイスのデジタルテレビレシーバーの実施例のブロック図を示す。図に示すように、本実施例は、エクスプレスカードインターフェイスのデジタルテレビレシーバー１で、コンピュータシステム２を用い、設計上、デジタルテレビレシーバー１は、エクスプレスカード／５４（５４ｍｍ）またはエクスプレスカード／３４（３４ｍｍ）のいずれの本体設計でもよい。デジタルテレビレシーバー１は、エクスプレスカードインターフェイスコネクター１１と、信号レシーバーモジュール１２と、ＩＣカードアクセスユニット１３と、エクスプレスカードインターフェイス制御装置１４と、限定受信（Ｃｏｎｄｉｔｉｏｎａｌ  Ａｃｃｅｓｓ，ＣＡ）処理ユニット１５と、を含む。
【００１４】
エクスプレスカードインターフェイスコネクター１１は、コンピュータシステム２に差し込まれ、デジタルテレビレシーバー１と、コンピュータシステム２の間の伝送路となる。信号レシーバーモジュール１２は、デジタルテレビ信号ＤＳを受信するのに用い、さらに、デジタルテレビ信号ＤＳをトランスポートストリーム（Ｔｒａｎｓｐｏｒｔ  Ｓｔｒｅａｍ）信号に変換し、出力する。信号レシーバーモジュール１２は、さらに、チューナー（Ｔｕｎｅｒ）モジュール１２１と、デモジュレーター（Ｄｅｍｏｄｕｌａｔｏｒ）１２２を含む。チューナーモジュール１２１は、例えば、外付けアンテナや、有線テレビネットワーク（図なし）等でもよく、ワイヤレスまたは有線方式で、デジタルテレビ信号ＤＳを受信し、デジタルテレビ信号ＤＳをＩＦ信号に変換する。デモジュレーター１２２は、チューナーモジュール１２１に接続され、ＩＦ信号を受信し、当該ＩＦ信号をデモジュレートし、当該トランスポート信号として出力する。
【００１５】
ＩＣカードアクセスユニット１３は、ユーザーが、ＩＣカード３を差し込むのに用い、そのＩＣカード３は、デジタルテレビ業者が、デコードデータを保存し、提供するものである。また、デコードデータは、実際には、デジタルテレビ業者のシステムによって、相違があるため、ここではさらに取り上げない。
【００１６】
エクスプレスカードインターフェイス制御装置１４は、エクスプレスカードインターフェイスコネクター１１を接続し、トランスポートストリーム信号を受信するために用いられ、トランスポートストリーム信号をエクスプレスカードインターフェイスの信号規格に変換し、エクスプレスカードインターフェイスコネクター１１によって、コンピュータシステム２に伝送する。エクスプレスカードインターフェイスの信号規格に沿っているが、エクスプレスカードインターフェイスコネクター１４は、トランスポートストリーム信号をＵＳＢの信号規格、又は、ＰＣＩエクスプレスの信号規格に変換するように、設計することもでき、これに制限されるものではない。
【００１７】
限定受信処理ユニット１５は、信号レシーバーモジュール１２と、ＩＣカードアクセスユニット１３と、エクスプレスカードインターフェイス制御装置１４と、を接続する。ユーザーが、有料のデジタルテレビ放送を選択したとき、信号レシーバーモジュール１２は、エンコードされたデジタルテレビ信号ＤＳを受信し、エンコードされたトランスポートストリーム信号に変換する。この時、限定受信処理ユニット１５は、信号レシーバーモジュール１２が伝送してきたトランスポートストリーム信号はエンコードされたと判断し、限定受信処理ユニット１５は、ＩＣカードアクセスユニット１３の動作を制御し、ＩＣカード３を読み取り、さらに、関連するデコードデータを取得し、当該エンコードされたトランスポートストリーム信号をデコードする。最後に、限定受信処理ユニット１５は、さらに、デコードされたトランスポートストリーム信号、即ちデコード後のトランスポートストリーム信号をエクスプレスカードインターフェイス制御装置１４に伝送し、エクスプレスカードインターフェイスコネクター１１を通して、コンピュータシステム２に伝送することにより、エンコードされたデジタルテレビ信号ＤＳを表示する。
【００１８】
また、ユーザーが、一般無料デジタルテレビ放送を選択した時、信号レシーバーモジュール１２が、エンコードされていないデジタルテレビ信号ＤＳ（無料受信信号）を受信し、エンコードされていないトランスポートストリーム信号に変換する。この時、限定受信処理ユニット１５は、信号レシーバーモジュール１２が伝送してきたトランスポートストリーム信号はエンコードされていないと判断し、当該エンコードされていないトランスポートストリーム信号を直接、エクスプレスカードインターフェイス制御装置１４に伝送し、エクスプレスカードインターフェイスコネクター１１を通して、コンピュータシステム２に伝送することにより、エンコードされていないデジタルテレビ信号ＤＳを表示する。
【００１９】
このようにして、上記説明のデジタルテレビレシーバー制御装置１は、ユーザーが、コンピュータシステム２によって、簡易に、無料又は、有料のデジタルテレビ放送を視聴できるようにする。
【００２０】
図２に、本考案のエクスプレスカードインターフェイスのデジタルテレビレシーバーの応用実施例の概略図を示す。図に示すように、デジタルテレビレシーバー１は、例えば、エクスプレスカード／５４の本体で、エクスプレスカードインターフェイスコネクター１１を通して、コンピュータシステム２に接続し、デジタルテレビレシーバー１全体が、コンピュータシステム２に差し込まれた後、完全にコンピュータシステム２の中に挿入することができるため、占有空間が減少する。
【００２１】
さらに、図２で、理解できるように、デジタルテレビレシーバー１は、ユーザーが直接ＩＣカードを差し込め、しかも、いかなる限定受信モジュール（ＣＡＭ）も必要とすることなく、エンコードされたデジタルテレビ信号を受信した時、ＩＣカード３のデコードデータを取得することができる。また、本実施例のデジタルテレビレシーバー１は、例えば、アンテナ４を外付けして、ワイヤレス受信方式を通して、デジタルテレビ信号を受信する。
【００２２】
コンピュータシステム２は、エクスプレスカードインターフェイススロット２１と、ディスプレイユニット２２と、演算処理ユニット２３と、を含む。エクスプレスカードインターフェイススロット２１は、デジタルテレビレシーバー１を接続するために用いる。エクスプレスカードインターフェイススロット２１は、さらに、デジタルテレビレシーバー１を収容するための収容スペースを備え、デジタルテレビレシーバー１を収容してコンピュータシステム２の内部に嵌めるように形成される。こうして、エクスプレスカードインターフェイススロット２１は、デジタルテレビレシーバー１が、処理後に伝送するトランスポートストリーム信号を受信する。当該トランスポートストリーム信号は、デコード後のトランスポートストリーム信号、又は、エンコードされていないトランスポートストリーム信号である。
【００２３】
演算処理ユニット２３は、エクスプレスカードインターフェイススロット２１に接続され、当該デコード後のトランスポートストリーム信号、または、エンコードされていないトランスポートストリーム信号を受信及び処理し、ディスプレイユニット２２に表示させる。この分野に詳しい技術者は理解できるように、コンピュータシステム２で、さらに、演算処理ユニット２３と合わせて、アプリケーションプログラム（図なし）を実行することもでき、トランスポートストリーム信号の再生制御をできるが、ここでは説明を加えない。よって、ユーザーが使用する、コンピュータシステム２が、デジタルテレビレシーバー１を備えた後、無料又は、有料のデジタルテレビ放送を視聴することができる。
【００２４】
さらに付け加えると、本実施例のコンピュータシステム２のエクスプレスカードインターフェイススロット２１は、例えば、エクスプレスカード／５４採用のインターフェイススロットで、設計されており、エクスプレスカード／５４又は、エクスプレスカード／３４のデジタルテレビレシーバー１本体を差し込むことができる。
【００２５】
このようにして、本実施例では、ユーザーが、コンピュータシステム２を通してデジタルテレビを視聴したい時、直接、デジタルテレビレシーバー１をエクスプレスカードインターフェイススロット２１に差し込み、さらに、ＩＣカード３をデジタルテレビレシーバー１に挿入して、視聴することができる。また、エンコード又は、エンコードされていないデジタルテレビ信号どちらであっても、デジタルテレビレシーバー１の処理によって、コンピュータシステム２で、使用、及び、視聴することができる。
【００２６】
総合すると、本考案のデジタルテレビレシーバーは、簡易に、ユーザーが、コンピュータシステムで、無料又は、有料のデジタルテレビ放送を視聴できるようにするものである。本考案のデジタルテレビレシーバーは、限定受信モジュールのインターフェイススロットを備える必要がないため、体積が小さく、一般のエクスプレスカードインターフェイス装置の体積だけである。さらに、ユーザーにとって、限定受信モジュールを使用する必要がないため、携帯するにもさらに便利である。
【００２７】
上記内容は本考案の好ましい実施例に過ぎず、本発明の実用新案登録請求の範囲を限定するものではないため、本発明で開示した趣旨を逸脱しないで完成された等価変更若しくは補正は、全て本考案における実用新案登録請求の範囲内に含まれるものとする。
【符号の説明】
【００２８】
１      デジタルテレビレシーバー
１１    エクスプレスカードインターフェイスコネクター
１２    信号レシーバーモジュール
１２１  チューナーモジュール
１２２  デモジュレーター
１３    ＩＣカードアクセスユニット
１４    エクスプレスカードインターフェイス制御装置
１５    限定受信処理ユニット
２      コンピュータシステム
２１    エクスプレスカードインターフェイススロット
２２    ディスプレイユニット
２３    演算処理ユニット
３      ＩＣカード
ＤＳ    デジタルテレビ信号
【図１】
0003150138.tif 000003
【図２】
0003150138.tif 000004